(57)【要約】【課題】皮下脂肪、内臓脂肪を手軽に自己測定すること。【解決手段】引出しおよび巻取り方向に回転するリール４と、リールより引出し胴囲に巻き付ける紐２と、リールの回転角度および回転方向から生体胴囲を計測する胴囲測定部１４と、紐の先端に設けた第一接続部２ａと、胴囲の計測時に第一接続部が嵌合する第２接続部３と、胴囲上の規定の位置での皮下脂肪を測定する皮下脂肪測定部１２と、生体胴囲と皮下脂肪から内臓脂肪を演算する内臓脂肪演算部１５を備えた体脂肪測定装置で、胴囲と皮下脂肪厚から内臓脂肪面積を算出することにより、手軽な、皮下脂肪、内臓脂肪の自己測定が可能となる。【選択図】図２
2006141524.tif 000002
【特許請求の範囲】
【請求項１】
引出しおよび巻取り方向に回転するリールと、前記リールより引出し胴囲に巻き付ける紐と、前記リールの回転角度および回転方向から生体胴囲を計測する胴囲測定部と、胴囲上の規定の位置での皮下脂肪を測定する皮下脂肪測定部と、前記の生体胴囲と皮下脂肪から内臓脂肪を演算する内臓脂肪演算部を備えた体脂肪測定装置。
【請求項２】
引出しおよび巻取り方向に回転するリールと、前記リールより引出し胴囲に巻き付ける紐と、前記リールの回転角度および回転方向から生体胴囲を計測する胴囲測定部と、性別を入力する性別入力部と、前記性別と前記胴囲と前記皮下脂肪から内臓脂肪を演算する内臓脂肪演算部を備えた体脂肪測定装置。
【請求項３】
リールは、紐を引き出す方向とは反対方向に前記リールを回転させる回転駆動部を有する請求項１または請求項２に記載の体脂肪測定装置。
【請求項４】
回転駆動部は、リールを回転させる力を入り切りさせる回転制御部を有する請求項３に記載の体脂肪測定装置。
【請求項５】
回転駆動部は、発条で構成してなる請求項３または請求項４に記載の体脂肪測定装置。
【請求項６】
内臓脂肪演算部は、性別と皮下脂肪から皮下脂肪肥満のレベル判定を行う肥満判定部を有する請求項２に記載の体脂肪測定装置。
【請求項７】
肥満判定部は、性別と内臓脂肪から内臓脂肪肥満レベル判定を行う肥満判定部を備えた請求項６に記載の体脂肪測定装置。
【請求項８】
皮下脂肪肥満レベルと内臓脂肪肥満レベルから、皮下脂肪型肥満か内臓脂肪型肥満かを判定する肥満型判定部を備えた請求項６または請求項７に記載の体脂肪測定装置。
【発明の詳細な説明】
【技術分野】
【０００１】
本発明は皮下脂肪および内臓脂肪を測定する体脂肪測定装置に関するものである。
【背景技術】
【０００２】
従来の内臓脂肪と皮下脂肪を同時に測定できる方法としては、Ｘ線を用いたＣＴや、ＭＲＩを用いて生体の断層画像を撮影し、その結果から求める方法があった（例えば、非特許文献１参照）。
【非特許文献１】臨床検査  ｖｏｌ．４２  ｎｏ．４  １９９８年４月
【発明の開示】
【発明が解決しようとする課題】
【０００３】
しかしながら、前記従来の構成では、大型かつ複雑であり、個人が家庭で健康管理のための自己測定には使えなかった。
【０００４】
上記従来の問題点に鑑み、本発明が解決しようとする課題は、手軽に、皮下脂肪と内臓脂肪を自己測定できる体脂肪測定装置を提供することにある。
【課題を解決するための手段】
【０００５】
上記の課題を解決するために、本発明の体脂肪測定装置は、引出しおよび巻取り方向に回転するリールと、前記リールより引出し胴囲に巻き付ける紐と、前記リールの回転角度および回転方向から生体胴囲を計測する胴囲測定部と、胴囲上の規定の位置での皮下脂肪を測定する皮下脂肪測定部と、前記の生体胴囲と皮下脂肪から内臓脂肪を演算する内臓脂肪演算部を備えたもので、同時に自己測定した皮下脂肪と内臓脂肪に基づき健康管理を手軽に行うことができる。
【０００６】
また本発明の体脂肪測定装置は、引出しおよび巻取り方向に回転するリールと、前記リールより引出し胴囲に巻き付ける紐と、前記リールの回転角度および回転方向から生体胴囲を計測する胴囲測定部と、胴囲上の規定の位置での皮下脂肪を測定する皮下脂肪測定部と、性別を入力する性別入力部と、前記の性別と生体胴囲と皮下脂肪から内臓脂肪を演算する内臓脂肪演算部を備えたもので、性別による誤差を減少させて同時に自己測定した皮下脂肪と内臓脂肪に基づき健康管理を手軽に行うことができる。
【発明の効果】
【０００７】
本発明の体脂肪測定装置は、家庭で手軽に、皮下脂肪と内臓脂肪を自己測定することができ、皮下脂肪型肥満か内臓脂肪型肥満かを判定して手軽に健康管理を行うことができる。
【発明を実施するための最良の形態】
【０００８】
第１の発明は、引出しおよび巻取り方向に回転するリールと、前記リールより引出し胴囲に巻き付ける紐と、前記リールの回転角度および回転方向から生体胴囲を計測する胴囲測定部と、胴囲上の規定の位置での皮下脂肪を測定する皮下脂肪測定部と、前記の生体胴囲と皮下脂肪から内臓脂肪を演算する内臓脂肪演算部を備えることにより、胴囲測定部はリールから引出して胴囲に巻き付けた紐によるリールの回転角度および回転方向から生体胴囲を自己計測し、皮下脂肪測定部は胴囲上の規定の位置での皮下脂肪を自己測定し、内臓脂肪演算部は前記の生体胴囲と皮下脂肪から内臓脂肪を演算でき、家庭で手軽に皮下脂肪型肥満か内臓脂肪型肥満かを判定することができる。
【０００９】
第２の発明は、引出しおよび巻取り方向に回転するリールと、前記リールより引出し胴囲に巻き付ける紐と、前記リールの回転角度および回転方向から生体胴囲を計測する胴囲測定部と、胴囲上の規定の位置での皮下脂肪を測定する皮下脂肪測定部と、性別を入力する性別入力部と、前記の性別と生体胴囲と皮下脂肪から内臓脂肪を演算する内臓脂肪演算部を備えることにより、性別入力部より男女の区別を入力し、胴囲測定部はリールから引出して胴囲に巻き付けた紐によるリールの回転角度および回転方向から生体胴囲を自己計測し、皮下脂肪測定部は胴囲上の規定の位置での皮下脂肪を自己測定し、内臓脂肪演算部は胴囲と皮下脂肪からだけでなく性別を含めて内臓脂肪を演算することができ、家庭で手軽に男女の違いによる皮下脂肪の差を吸収し精度の高い健康管理ができる。
【００１０】
第３の発明は、第１または第２の発明のリールに、紐を引き出す方向とは反対方向に前記リールを回転させる回転駆動部を設けることにより、回転駆動部は巻取り方向にリールを回転させ、リールより引出して胴囲に巻き付けた紐を、胴囲測定部、皮下脂肪測定部、内臓脂肪演算部により皮下脂肪と内臓脂肪を自己測定した後は自動的に巻き取らせることができ便利である。
【００１１】
第４の発明は、第３の発明の回転駆動部に、リールを回転させる力を入り切りさせる回転制御部を設けたことにより、回転制御部はリールを回転および停止でき、皮下脂肪と内臓脂肪の自己測定時の操作を容易にできる。
【００１２】
第５の発明は、第３または第４の発明の回転駆動部を、発条で構成することにより、簡単な構造にできる。
【００１３】
第６の発明は、第２の発明にあって、性別と皮下脂肪厚から皮下脂肪肥満のレベル判定を行う肥満判定部を備えることにより、性別により異なる皮下脂肪の差を吸収し皮下脂肪肥満の判定を行うことができる。
【００１４】
第７の発明は、第６の発明の肥満判定部を、性別と内臓脂肪から内臓脂肪肥満レベル判定を行うようにすることにより、性別により異なる内臓脂肪肥満の判定を行うことができる。
【００１５】
第８の発明は、第６または第７の発明の肥満型判定部を、皮下脂肪肥満レベルと内臓脂肪肥満レベルから、皮下脂肪型肥満か内臓脂肪型肥満かを判定する構成にすることにより、性別により異なる皮下脂肪レベルと内臓脂肪肥満レベルに基づき皮下脂肪型肥満か内臓脂肪型肥満かを判定することができる。
【００１６】
以下本発明の実施の形態について、図面を参照しながら説明する。なお、本実施の形態によって本発明が限定されるものではない。
【００１７】
（実施の形態１）
図１は、本発明の実施の形態１における体脂肪測定装置の上面図で、図２はその内部の概略構成図で、図３はその体脂肪測定装置による体脂肪測定時の図で、図４はその体脂肪測定装置の胴囲測定部が持つリールの回転角度と胴囲の関係を示すグラフで、図５（ａ）（ｂ）、図６（ａ）（ｂ）はその体脂肪測定装置の表示部が示す表示例の図である。
【００１８】
図１において、体脂肪測定装置の本体１は外殻をなす円形状のケースで、測定時に本体１を片手で握るため把持部１ａを中央部上面より外周にかけて有する。紐２は、図３に示す体脂肪測定時に胴囲２０に一周巻き付けるので生体に食い込まず、そのため痛みも無く、安定した測定を可能とするため帯状に形成し、把持部１ａの脇になる本体１の側面より引出し可能に本体１の内部に設け、先にはフック状の第一接続部２ａを有する。第２接続部３は、紐２を体脂肪測定のため胴囲２０に一周巻き付けた時に第一接続部２ａを引っ掛けるため紐２が出る本体１の反対側の側面に設けてある。
【００１９】
さらに、帯状の紐２は本体１の内部にあるリール４に巻き取られており、そのリール４の外周にはスリット４ａが切られている。２対のフォトインタラプタ５は、リール４のスリット４ａを挟み込むようにが配置されている。この２対のフォトインタラプタ５は、そのピッチがスリット４ａのピッチより細かいことにより、リール４が回転する角度と方向を同時に測定することができる。
【００２０】
また、リール４は、その中心部分と中心の軸との間にリールの回転駆動部である発条６が備えられて、帯状の紐２が引っ張られるとリール４が図２において左回りに回転し、発条６も巻き取られ、リール４を右回転させて戻そうとする力を発条６は蓄える。さらに、リール４は紐２を巻き取る場合に、巻取り半径が巻取り回数と帯状の紐２の厚みにより一意的に決定されるので、リール４の回転角度により胴囲の測定値を決定することができる。
【００２１】
ストッパ７は、リール４の外周にあって常にはリール４に作用し、リール４が左方向にしか回らないようにしている。巻取りスイッチ８は、リール４を回転させる回転駆動力である発条６の力を入り切りさせるリール４の回転制御部であり、紐２の引出し側に位置して本体１の上面に配置され、押す毎にストッパ７の効力（作用）をオン、オフする。
【００２２】
また、性別の違いにより異なる皮下脂肪等の測定誤差をなくすため、性別を入力するスイッチ等の性別入力部９や、測定結果である皮下脂肪、内臓脂肪を表示する液晶等の表示部１０、皮下脂肪のみを測定する場合に選択する測定モード選択スイッチ１１も、本体１の上面に配置され、特に表示部１０は真中に位置して見易くしている。皮下脂肪測定部１２、胴囲測定部１４、内臓脂肪測定部１５、肥満判定部１６は、マイクロコンピュータおよびその周辺回路からなり、一体または別個に構成されて本体１の内部に配置されている。
【００２３】
皮下脂肪測定部１２は、内臓脂肪測定部１５に接続され、皮下脂肪厚を近赤外光を用いて胴囲上の規定の位置（図３に示す臍１３の付近の胴囲２０に紐２を巻き付けた位置）で測定する。胴囲測定部１４は、リール４の回転角度および回転方向から生体胴囲を計測するもので、図４に示すリール４の回転角度と胴囲の関係を記憶し、この関係に基き胴囲を演算する。
【００２４】
内臓脂肪測定部１５は性別と生体胴囲と皮下脂肪から内臓脂肪を演算する。すなわち、内臓脂肪測定部１５は肥満判定部１６を有し、性別入力部で入力された性別と胴囲測定部１４と皮下脂肪測定部１２とにより同時に測定した生体胴囲と皮下脂肪厚から、皮下脂肪と内臓脂肪を算出し、肥満判定部１６で皮下脂肪型肥満か、内臓脂肪型肥満かの判定を行い、例えば表示部１０に図５（ａ）（ｂ）、図６（ａ）（ｂ）に示すような形態で測定結果を表示させる。
【００２５】
上記実施の形態の体脂肪測定装置を用いた体脂肪測定の様子を図３に示す。片手で本体１の把持部１ａを持ち、もう一方の片手で第一接続部２ａを持って帯状の紐２を引出し、生態の胴囲２０に一周させて第一接続部２ａを第二接続部３に接続して固定させる。この時、第二接続部３を臍１３の位置へ配置することにより、常に、胴囲を一定の位置で胴囲測定部１４が計測することができる。
【００２６】
また、胴囲に２０に圧接した皮下脂肪測定部１２により皮下脂肪も胴囲上の規定の位置で再現性良く測定することができる。そして、第一接続部２を第二接続部３に接続したときに、巻取りスイッチ８がオンする構成にすることで、紐２が弛むことなく胴囲に巻きつき安定した測定が可能となる。
【００２７】
また、メジャーなどで胴囲を自己測定する場合には、目盛りを測定者が見るために前かがみの不自然な状況となるが、本実施の形態では胴囲を自動測定することにより、姿勢を崩すことなく安定した測定が可能となる。従って、胴囲の算出はリール４の回転角度と胴囲の関係を図示すると図４のグラフのようになり、この関係から、胴囲測定部１４は胴囲を演算する。
【００２８】
次に、内臓脂肪測定部１５における内臓脂肪算出アルゴリズムについて説明する。一般に、胴囲は内臓脂肪面積が増加するにつれて増加することと、胴囲上の皮下脂肪厚が増加するにつれて増加する。内臓脂肪面積Ｓと胴囲Ｗと皮下脂肪厚Ｔの関係は各単位の次元を合わせて次の（数１）で表される。
【００２９】
【数１】
2006141524.tif 000003
【００３０】
ここで、Ａ、Ｂ、Ｃは定数である。
【００３１】
そのため、内臓脂肪面積Ｓは胴囲Ｗと皮下脂肪厚Ｔであらわされ、（数１）であらわすことができる。
【００３２】
【数２】
2006141524.tif 000004
【００３３】
ここで、Ａ’、Ｂ’、Ｃ’は前述の定数Ａ、Ｂ、Ｃとは異なる定数である。
【００３４】
あらかじめ、ＣＴやＭＲＩで内臓脂肪面積を測定した集団に対し、皮下脂肪厚と胴囲を測定してデータベースを構築することで、（数２）のパラメータＡ’、Ｂ’、Ｃ’を決定することができる。
【００３５】
また、性別入力スイッチ９により性別を入力し、男女で別の算出式を用いることで、男性女性で大きく異なる腹部皮下脂肪のつき方の差による誤差を減少させることができる。また、内臓脂肪測定部１５には肥満判定部１６が内臓されており、性別により異なる内臓脂肪肥満の境界値と皮下脂肪型肥満の境界値を選択し、表示部１０に測定した皮下脂肪厚と内臓脂肪面積をともに、バー表示にて、肥満の具合（皮下脂肪肥満レベル、内臓脂肪肥満レベル）を表示することができる。
【００３６】
すなわち、表示例の図５（ａ）では測定者が男性で、バー表示部１０ａに肥満レベルが普通で、内臓脂肪面積が９５ｃｍ２であることが表示され、そして切り替えた表示例の図５（ｂ）には皮下脂肪厚が５．０ｍｍであることが表示される。また、表示例の図６（ａ）では測定者が男性で、バー表示部１０ａに内臓脂肪肥満レベルが３段階（黒く塗り潰したところ）、皮下脂肪肥満レベルが２段階（黒く塗り潰したところ）で、内臓脂肪面積が１５０ｃｍ２であることが表示され、そして切り替えた表示例の図６（ｂ）には皮下脂肪厚が３８．０ｍｍであることが表示される。
【００３７】
以上のように本実施の形態によれば、胴囲測定部と皮下脂肪測定部とにより、胴囲と皮下脂肪厚との同時測定をすることとなり、そこから内臓脂肪測定部で、皮下脂肪と内臓脂肪を算出することで、家庭内で簡単に、皮下脂肪、内臓脂肪を自己測定することができ、皮下脂肪型肥満か、内臓脂肪型肥満かの判定を行うことができる。
【００３８】
なお、本実施の形態において、皮下脂肪測定部として、近赤外光を用いた光式としたが超音波を用いた超音波式としても良い。また、上記実施の形態で内臓脂肪演算部１５は性別と胴囲と皮下脂肪から内臓脂肪を演算したが、胴囲と皮下脂肪だけから内臓脂肪を演算しても良いものである。
【産業上の利用可能性】
【００３９】
本発明にかかる体脂肪測定装置は、胴囲測定部と皮下脂肪測定部を有し、皮下脂肪、内臓脂肪を自己測定し、皮下脂肪型肥満か、内臓脂肪型肥満化を判定でき健康測定装置等として有用である。
【図面の簡単な説明】
【００４０】
【図１】本発明の実施の形態１における体脂肪測定装置の上面図
【図２】同実施の形態１における体脂肪測定装置の内部の概略構成図
【図３】同実施の形態１における体脂肪測定装置による体脂肪測定時の図
【図４】同実施の形態１における体脂肪測定装置の胴囲測定部が持つリールの回転角度と胴囲の関係を示すグラフ
【図５】（ａ）（ｂ）同実施の形態１における体脂肪測定装置の測定結果の表示例を示す図
【図６】（ａ）（ｂ）同実施の形態１における体脂肪測定装置の測定結果の他の表示例を示す図
【符号の説明】
【００４１】
２  帯状の紐
４  リール
６  発条（回転駆動部）
８  巻取りスイッチ（回転制御部）
９  性別入力部
１２  皮下脂肪測定部
１４  胴囲測定部
１５  内臓脂肪測定部
１６  肥満判定部
【図１】
2006141524.tif 000005
【図２】
2006141524.tif 000006
【図３】
2006141524.tif 000007
【図４】
2006141524.tif 000008
【図５】
2006141524.tif 000009
【図６】
2006141524.tif 000010